(57)【要約】【課題】ディスクアクセス用の開口部を確実に閉塞する。【解決手段】  下シェル３および上シェル４を有するカートリッジ本体２と、ディスクトレイ５と、規制状態において閉塞位置に位置させられてディスクトレイ５と相俟って開口部１５を閉塞するシャッタ部材６，６とを備え、下シェル３には、規制状態となるようにディスクトレイ５が回動させられたときにシャッタ部材６が押し付けられることでシャッタ部材６を閉塞位置に向けて矢印Ｃの向きで回動させるようにして押圧する凸部１４が形成され、シャッタ部材６には、規制状態となるようにシャッタ部材６が移動させられたときにディスクトレイ５の回動完了に先立って凸部１４に当接すると共にその状態からディスクトレイ５の回動完了までの間に凸部１４に押し付けられる力が徐々に大きくなるようにシャッタ部材６の側端面５４から突出する突出部５３が形成されている。【選択図】図１０
2006048788.tif 000002
【特許請求の範囲】
【請求項１】
ディスクアクセス用の第１開口部が形成された下シェル、および上シェルを有してディスク状記録媒体を収容するカートリッジ本体と、
ディスクアクセス用の第２開口部が形成されて前記カートリッジ本体内に回動可能に配設され、ディスクアクセスを規制する規制状態において前記第１開口部の一部を閉塞すると共に当該ディスクアクセスを許容する許容状態において当該第１開口部に前記第２開口部が連通させられて当該一部を開口するディスクトレイと、
前記ディスクトレイに軸支された状態で当該ディスクトレイおよび前記下シェルの間に配設され、当該ディスクトレイの回動に伴って前記カートリッジ本体内で移動させられつつ当該ディスクトレイに対して回動させられることにより、前記規制状態において前記第１開口部における他の一部を閉塞する閉塞位置に位置させられて当該ディスクトレイと相俟って当該第１開口部を閉塞すると共に、前記許容状態において前記第１開口部における他の一部を開口する開口位置に位置させられるシャッタ部材とを備え、
前記下シェルには、前記ディスクトレイの回動に伴って前記シャッタ部材を前記閉塞位置と前記開口位置との間で当該ディスクトレイに対して回動させる回動用凸部および回動用案内溝のいずれか一方が形成されると共に、前記規制状態となるように前記ディスクトレイが回動させられたときに前記シャッタ部材が押し付けられることで当該シャッタ部材を前記閉塞位置に向けて回動させるようにして当該シャッタ部材を押圧する押圧用凸部が形成され、
前記シャッタ部材には、前記回動用凸部および前記回動用案内溝のいずれか他方が形成されると共に、前記規制状態となるように前記シャッタ部材が移動させられたときに前記ディスクトレイの回動が完了するのに先立って前記押圧用凸部に当接すると共にその状態から前記ディスクトレイの回動が完了するまでの間に当該押圧用凸部に押し付けられる力が徐々に大きくなるように当該シャッタ部材の側端面から突出する突出部が形成されているディスクカートリッジ。
【請求項２】
ディスクアクセス用の第１開口部が形成された下シェル、および上シェルを有してディスク状記録媒体を収容するカートリッジ本体と、
ディスクアクセス用の第２開口部が形成されて前記カートリッジ本体内に回動可能に配設され、ディスクアクセスを規制する規制状態において前記第１開口部の一部を閉塞すると共に当該ディスクアクセスを許容する許容状態において当該第１開口部に前記第２開口部が連通させられて当該一部を開口するディスクトレイと、
前記ディスクトレイに軸支された状態で当該ディスクトレイおよび前記下シェルの間に配設され、当該ディスクトレイの回動に伴って前記カートリッジ本体内で移動させられつつ当該ディスクトレイに対して回動させられることにより、前記規制状態において前記第１開口部における他の一部を閉塞する閉塞位置に位置させられて当該ディスクトレイと相俟って当該第１開口部を閉塞すると共に、前記許容状態において前記第１開口部における他の一部を開口する開口位置に位置させられるシャッタ部材とを備え、
前記下シェルには、前記ディスクトレイの回動に伴って前記シャッタ部材を前記閉塞位置と前記開口位置との間で当該ディスクトレイに対して回動させる回動用凸部および回動用案内溝のいずれか一方が形成されると共に、前記規制状態となるように前記ディスクトレイが回動させられたときに前記シャッタ部材が押し付けられることで当該シャッタ部材を前記閉塞位置に向けて回動させるようにして当該シャッタ部材を押圧する押圧用凸部が形成され、
前記シャッタ部材には、前記回動用凸部および前記回動用案内溝のいずれか他方が形成されると共に、前記シャッタ部材の側端面から突出させられて前記押圧用凸部に当接する突出部が形成され、
当該突出部は、その先端と前記側端面との間の面のうちの前記押圧用凸部に当接する面が平面状に形成されているディスクカートリッジ。
【請求項３】
前記突出部は、前記規制状態において前記押圧用凸部に面的に接触するように構成されている請求項１または２記載のディスクカートリッジ。
【請求項４】
前記シャッタ部材は、前記規制状態のときに前記下シェルにおける前記第１開口部の口縁部近傍で前記カートリッジ本体の厚み方向において重なる前記ディスクトレイの所定位置に軸支され、
前記突出部は、前記シャッタ部材における前記ディスクトレイに軸支された部位の近傍に形成され、
前記押圧用凸部は、前記下シェルの前記第１開口部の口縁部近傍に形成されている請求項１から３のいずれかに記載のディスクカートリッジ。
【請求項５】
前記ディスクトレイには、前記シャッタ部材が一対軸支され、
前記下シェルは、前記押圧用凸部を一対備えて構成され、
前記各押圧用凸部は、前記各シャッタ部材の前記各突出部をそれぞれ押圧して当該両シャッタ部材を互いに押し付け合うようにして押圧する請求項１から４のいずれかに記載のディスクカートリッジ。
【発明の詳細な説明】
【技術分野】
【０００１】
本発明は、カートリッジ本体内に収容されたディスク状記録媒体に対してディスクアクセス用の開口部を介してのディスクアクセスが可能に構成されたディスクカートリッジに関するものである。
【背景技術】
【０００２】
この種のディスクカートリッジとして、カートリッジ筐体内に情報記録媒体を収容したディスクカートリッジが特開２００３−１２３４２６号公報に開示されている。このディスクカートリッジは、ディスク状の情報記録媒体と、上シェルおよび下シェルを有するカートリッジ筐体と、ディスクトレイとして機能するインナーシェルと、インナーシェルおよび下シェルの間に配設された一対のシャッタ部材（シャッタ）とを備えている。下シェルは、収容状態の情報記録媒体に対するディスクアクセス用の開口部が形成されて上シェルに取り付けられている。インナーシェルは、その開口形状および大きさが下シェルの開口部と同等となるようにディスクアクセス用の開口部が形成されると共に上シェルおよび下シェルの間に挟み込まれるようにしてカートリッジ筐体内に回動可能に収容されている。このインナーシェルは、記録再生装置に対するディスクカートリッジの装填時および排出時において記録再生装置によってカートリッジ筐体に対して回動させられることで下シェルにおける開口部の一部を開閉する。シャッタ部材は、インナーシェルに軸支されると共に、インナーシェルが回動させられることでインナーシェルに対して回動させられる。また、一対のシャッタ部材は、インナーシェルの回動に伴って回動させられて、互いに当接させられるようにして下シェルにおける開口部の他の一部を開閉することにより、インナーシェルと相俟って開口部を開閉する。これにより、このディスクカートリッジでは、記録装置に装填された際に、開口部が開口されて情報記録媒体に対するアクセスが許容され、記録再生装置から排出された際に、インナーシェルおよびシャッタ部材によって開口部が閉塞されて情報記録媒体に対するアクセスが規制される。
【特許文献１】特開２００３−１２３４２６号公報（第３−１０頁、図１−２８）
【発明の開示】
【発明が解決しようとする課題】
【０００３】
ところが、従来のディスクカートリッジには、以下の問題点がある。すなわち、このディスクカートリッジでは、排出時に記録再生装置によってインナーシェルがカートリッジ筐体に対して回動させられることで一対のシャッタ部材がインナーシェルに対して回動させられ、これにより開口部がインナーシェルおよびシャッタ部材によって閉塞される構成が採用されている。この場合、カートリッジ筐体に対してインナーシェルをスムーズに回動させるためには、カートリッジ筐体とインナーシェルとの間にある程度の隙間を設けておく必要がある。同様にして、インナーシェルに対してシャッタ部材をスムーズに回動させるためには、インナーシェルに対するシャッタ部材の軸支部位（軸部と軸孔との間）にある程度の隙間を設けておく必要がある。したがって、カートリッジ筐体とインナーシェルとの間、およびインナーシェルとシャッタ部材との間に僅かながたつきが生じている。このため、従来のディスクカートリッジでは、互いに当接して開口部を閉塞している閉塞状態のシャッタ部材がインナーシェル（ディスクトレイ）に対して僅かに移動（回動）することがあり、これに起因して、両シャッタ部材の間に僅かな隙間が形成されることがある。したがって、従来のディスクカートリッジには、両シャッタ部材間に隙間が形成されることに起因して、カートリッジ筐体内に塵埃が侵入するおそれがあるという問題点が存在する。
【０００４】
本発明は、かかる問題点に鑑みてなされたものであり、ディスクアクセス用の開口部をシャッタ部材で確実に閉塞し得るディスクカートリッジを提供することを主目的とする。
【課題を解決するための手段】
【０００５】
上記目的を達成すべく本発明に係るディスクカートリッジは、ディスクアクセス用の第１開口部が形成された下シェル、および上シェルを有してディスク状記録媒体を収容するカートリッジ本体と、ディスクアクセス用の第２開口部が形成されて前記カートリッジ本体内に回動可能に配設され、ディスクアクセスを規制する規制状態において前記第１開口部の一部を閉塞すると共に当該ディスクアクセスを許容する許容状態において当該第１開口部に前記第２開口部が連通させられて当該一部を開口するディスクトレイと、前記ディスクトレイに軸支された状態で当該ディスクトレイおよび前記下シェルの間に配設され、当該ディスクトレイの回動に伴って前記カートリッジ本体内で移動させられつつ当該ディスクトレイに対して回動させられることにより、前記規制状態において前記第１開口部における他の一部を閉塞する閉塞位置に位置させられて当該ディスクトレイと相俟って当該第１開口部を閉塞すると共に、前記許容状態において前記第１開口部における他の一部を開口する開口位置に位置させられるシャッタ部材とを備え、前記下シェルには、前記ディスクトレイの回動に伴って前記シャッタ部材を前記閉塞位置と前記開口位置との間で当該ディスクトレイに対して回動させる回動用凸部および回動用案内溝のいずれか一方が形成されると共に、前記規制状態となるように前記ディスクトレイが回動させられたときに前記シャッタ部材が押し付けられることで当該シャッタ部材を前記閉塞位置に向けて回動させるようにして当該シャッタ部材を押圧する押圧用凸部が形成され、前記シャッタ部材には、前記回動用凸部および前記回動用案内溝のいずれか他方が形成されると共に、前記規制状態となるように前記シャッタ部材が移動させられたときに前記ディスクトレイの回動が完了するのに先立って前記押圧用凸部に当接すると共にその状態から前記ディスクトレイの回動が完了するまでの間に当該押圧用凸部に押し付けられる力が徐々に大きくなるように当該シャッタ部材の側端面から突出する突出部が形成されている。
【０００６】
また、本発明に係るディスクカートリッジは、ディスクアクセス用の第１開口部が形成された下シェル、および上シェルを有してディスク状記録媒体を収容するカートリッジ本体と、ディスクアクセス用の第２開口部が形成されて前記カートリッジ本体内に回動可能に配設され、ディスクアクセスを規制する規制状態において前記第１開口部の一部を閉塞すると共に当該ディスクアクセスを許容する許容状態において当該第１開口部に前記第２開口部が連通させられて当該一部を開口するディスクトレイと、前記ディスクトレイに軸支された状態で当該ディスクトレイおよび前記下シェルの間に配設され、当該ディスクトレイの回動に伴って前記カートリッジ本体内で移動させられつつ当該ディスクトレイに対して回動させられることにより、前記規制状態において前記第１開口部における他の一部を閉塞する閉塞位置に位置させられて当該ディスクトレイと相俟って当該第１開口部を閉塞すると共に、前記許容状態において前記第１開口部における他の一部を開口する開口位置に位置させられるシャッタ部材とを備え、前記下シェルには、前記ディスクトレイの回動に伴って前記シャッタ部材を前記閉塞位置と前記開口位置との間で当該ディスクトレイに対して回動させる回動用凸部および回動用案内溝のいずれか一方が形成されると共に、前記規制状態となるように前記ディスクトレイが回動させられたときに前記シャッタ部材が押し付けられることで当該シャッタ部材を前記閉塞位置に向けて回動させるようにして当該シャッタ部材を押圧する押圧用凸部が形成され、前記シャッタ部材には、前記回動用凸部および前記回動用案内溝のいずれか他方が形成されると共に、前記シャッタ部材の側端面から突出させられて前記押圧用凸部に当接する突出部が形成され、当該突出部は、その先端と前記側端面との間の面のうちの前記押圧用凸部に当接する面が平面状に形成されている。
【０００７】
さらに、本発明に係るディスクカートリッジは、上記のいずれかのディスクカートリッジにおいて、前記規制状態において前記押圧用凸部に面的に接触するように前記突出部が構成されている。
【０００８】
また、本発明に係るディスクカートリッジは、上記のいずれかのディスクカートリッジにおいて、前記規制状態のときに前記下シェルにおける前記第１開口部の口縁部近傍で前記カートリッジ本体の厚み方向において重なる前記ディスクトレイの所定位置に前記シャッタ部材が軸支され、前記シャッタ部材における前記ディスクトレイに軸支された部位の近傍に前記突出部が形成され、前記下シェルの前記第１開口部の口縁部近傍に前記押圧用凸部が形成されている。
【０００９】
さらに、本発明に係るディスクカートリッジは、上記のいずれかのディスクカートリッジにおいて、前記ディスクトレイには、前記シャッタ部材が一対軸支され、前記下シェルは、前記押圧用凸部を一対備えて構成され、前記各押圧用凸部が前記各シャッタ部材の前記各突出部をそれぞれ押圧して当該両シャッタ部材を互いに押し付け合うようにして押圧する。
【発明の効果】
【００１０】
本発明に係るディスクカートリッジでは、シャッタ部材を閉塞位置に向けて回動させるように押圧する押圧用凸部が下シェルに形成されると共に、ディスクトレイの回動が完了するのに先立って押圧用凸部に当接してディスクトレイの回動が完了するまでの間に押圧用凸部に押し付けられる力が徐々に大きくなるように側端面から延出させられた突出部（先端と側端面との間の面が平面状に形成された突出部）がシャッタ部材に形成されている。したがって、本発明に係るディスクカートリッジによれば、スムーズな開閉を可能とするために、カートリッジ本体とディスクトレイとの間やディスクトレイとシャッタ部材との間に僅かな隙間を設けたとしても、押圧用凸部によって両シャッタ部材が閉塞位置に向けて押圧されて第１開口部が隙間なく閉塞されるため、第１開口部からの塵埃の侵入を確実に防止することができる。
【００１１】
この場合、本発明に係るディスクカートリッジによれば、規制状態において押圧用凸部に面的に接触するように突出部を構成したことにより、シャッタ部材を閉塞位置に向けて確実に押圧することができるため、第１開口部からの塵埃の侵入を一層確実に防止することができる。
【００１２】
また、本発明に係るディスクカートリッジでは、規制状態のディスクトレイにおいて下シェルの第１開口部の口縁部近傍に重なる位置でシャッタ部材が軸支されると共に、ディスクトレイに軸支された部位の近傍に突出部が形成され、かつ、押圧用凸部が下シェルにおける第１開口部の近傍に形成されている。したがって、本発明に係るディスクカートリッジによれば、ディスクトレイに軸支されている部位から遠く離れた部位を押圧するのとは異なり、押圧用凸部によって極く短いストロークで押圧してディスクトレイに対してシャッタ部材を大きく回動させることができる。
【００１３】
この場合、本発明に係るディスクカートリッジによれば、一対の押圧用凸部が各シャッタ部材における突出部を押圧して両シャッタ部材を互いに押し付け合うようにして押圧するように下シェルを形成したことにより、例えば一方のシャッタ部材だけを押圧する構成と比較して、両シャッタ部材を互いに密着し合わせて第１開口部を隙間なく閉塞させることができるため、第１開口部からの塵埃の侵入を一層確実に防止することができる。
【発明を実施するための最良の形態】
【００１４】
以下、添付図面を参照して、本発明に係るディスクカートリッジの最良の形態について説明する。
【００１５】
最初に、ディスクカートリッジ１の構成について、図面を参照して説明する。
【００１６】
図１，２に示すディスクカートリッジ１は、各種記録データの記録および再生が可能に構成されたカートリッジ式の情報記録媒体であって、カートリッジ本体２、ディスクトレイ５およびシャッタ部材６，６などを備えてカートリッジ本体２内に光ディスク１０が収納されて構成されている。なお、図２では、本発明についての理解を容易とするために、ディスクカートリッジ１の厚み方向のサイズを誇張して厚く図示している。この場合、光ディスク１０は、一例として、片面仕様の書き換え型のディスク状記録媒体であって、同図に示すように、その中心部には、記録再生装置（図示せず）にクランプさせるための直径１５ｍｍ程度の中心孔１０ａが形成されている。この光ディスク１０は、カートリッジ本体２の上シェル４に取り付けられた円板状のクランピングプレート１０ｂが記録再生装置によって下シェル３側に引き寄せられることによって記録再生装置にクランプされる。一方、図１，２に示すように、カートリッジ本体２は、互いに嵌合可能に（重ね合わせが可能に）形成された下シェル３および上シェル４を備えている。
【００１７】
下シェル３は、図３に示すように、一対の下シェル本体１１ａ，１１ｂを備えて、一例として、ポリカーボネート（または、ＡＢＳ樹脂等）を用いて射出成形されている。具体的には、下シェル３（下シェル本体１１ａ，１１ｂ）は、底板１２ａと、底板１２ａの外縁部に立設されてカートリッジ本体２の側面部分を構成する側壁１２ｂと、カートリッジ本体２内にディスク収容部を形成する隔壁１２ｃとを備えている。また、下シェル３は、上シェル４に嵌合させた状態（上シェル４に重ね合わせて一体化させた状態）において、両下シェル本体１１ａ，１１ｂにおける底板１２ａ，１２ａの間にディスクアクセス用の開口部１５が形成されるように構成されている。この場合、開口部１５は、本発明における第１開口部に相当し、記録データの記録再生時において、カートリッジ本体２内の光ディスク１０に対するディスクアクセス（記録再生装置によるクランプや、光学ヘッドを介してのレーザービームの照射等）が可能となるようにその開口幅および開口長等が規定されている。
【００１８】
具体的には、図３に示すように、開口部１５は、下シェル３の一方の外縁部（同図における上側の縁部）から中心部を挟んで対向する他方の外縁部（同図における下側の縁部）に亘る帯状となるように形成されている。これにより、開口部１５は、カートリッジ本体２内に収容された状態の光ディスク１０における中心孔１０ａの周囲を含む中心部領域を挟んで互いに対向する一対の外縁部領域間に亘る帯状の領域を露出可能な形状および大きさとなっている。この構成により、このディスクカートリッジ１では、２つの光学ヘッドを同時に用いて光ディスク１０に対する記録データの記録および再生を行うことが可能となっている。また、両下シェル本体１１ａ，１１ｂの各底板１２ａには、シャッタ部材６のスリット５２（図９参照）に挿入されて、後述するようにディスクトレイ５の回動に伴ってシャッタ部材６をスライドさせるための回動用凸部（以下、「凸部」ともいう）１３がそれぞれ立設されている。さらに、両下シェル本体１１ａ，１１ｂの各底板１２ａには、本発明における押圧用凸部に相当する凸部１４がそれぞれ１カ所ずつ形成されている。この場合、図４に示すように、凸部１４は、底板１２ａにおける開口部１５側（同図における手前側）の縁部をカートリッジ本体２の内側（同図における上側）に向けて突出させて形成されている。
【００１９】
上シェル４は、図５に示すように、天板２２ａと、天板２２ａの外縁部に立設されて下シェル３の側壁１２ｂと相俟ってカートリッジ本体２の側面部分を構成する側壁２２ｂと、下シェル３の隔壁１２ｃと相俟ってカートリッジ本体２内にディスク収容部を形成する隔壁２２ｃとを備えて、一例として、透過性を有するポリカーボネートを用いて射出成形されている。また、図２に示すように、上シェル４の中央部には、リング状の取付け部材１０ｃによってクランピングプレート１０ｂが取り付けられている。この場合、クランピングプレート１０ｂは、上シェル４に対して回転可能で、天板２２ａに対する接離方向で僅かに移動可能に取り付けられている。
【００２０】
ディスクトレイ５は、図６に示すように、開口部３５が形成された円板状の底板３１と、底板３１の外縁部に立設された側壁３２とで光ディスク１０を載置可能な浅皿状に形成されて、図２に示すように、光ディスク１０と共にカートリッジ本体２内に回動可能に収容されている。この場合、開口部３５は、本発明における第２開口部に相当し、図６に示すように、下シェル３における開口部１５の幅とほぼ同じ幅となるように形成されている。なお、同図では、開口部１５の口縁部を一点鎖線で図示している。また、側壁３２には、記録再生装置のシャッタ開閉機構（図示せず）が噛合可能な噛合用歯部３４が形成されている。さらに、側壁３２には、光ディスク１０に対するディスクアクセスを規制している規制状態やディスクアクセスを規制する許容状態においてロック部材７（図１参照）が係合してカートリッジ本体２に対する回動を規制するための切り欠きや、記録再生装置のシャッタ開閉機構が係合してディスクトレイ５を回動させるための切り欠きなど（図示せず）が形成されている。また、底板３１の下面には、シャッタ部材６を軸支するための支持軸３３，３３が立設されている。この場合、図１１に示すように、支持軸３３，３３は、規制状態のときに下シェル本体１１ａ，１１ｂにおける開口部１５側の口縁部近傍において重なるディスクトレイ５の所定位置でシャッタ部材６，６を軸支する。
【００２１】
シャッタ部材６は、図７に示すように、一端部にディスクトレイ５の支持軸３３を挿通可能な軸受孔５１が形成されると共に、他端部側に下シェル３の凸部１３を挿通可能なスリット５２（本発明における回動用案内溝）が形成されている。また、シャッタ部材６における軸受孔５１の近傍には、突出部５３が形成されている。この場合、図８に示すように、突出部５３は、シャッタ部材６の側端面５４から突出させられて、その先端５３ａと側端面５４との間の斜面５３ｂ（本発明における「先端と側端面との間の面」）が平面状に形成されている。また、突出部５３は、後述するように、規制状態となるようにディスクトレイが回動させられたときに、ディスクトレイ５の回動が完了するのに先立って斜面５３ｂが凸部１４に当接すると共にその状態からディスクトレイ５の回動が完了するまでの間に凸部１４に向けて斜面５３ｂが押し付けられる力が徐々に大きくなるように形成されている。さらに、図１２に示すように、突出部５３は、シャッタ部材６が光ディスク１０に対するディスクアクセスを規制している常態においては、下シェル本体１１ａにおける凸部１４の当接面１４ｂに斜面５３ｂが面的に接触するように形成されている。また、下シェル本体１１ｂにおける凸部１４の当接面１４ｂについても、シャッタ部材６における突出部５３の斜面５３ｂが面的に接触するように構成されている。さらに、シャッタ部材６は、同図に示すように軸受孔５１に支持軸３３を挿通させることによってディスクトレイ５に対して回動可能に軸支された状態で、図２に示すように、下シェル３とディスクトレイ５との間に挟み込まれるようにしてカートリッジ本体２内に収容されている。また、規制状態においては、後述するように、両シャッタ部材６，６は、下シェル本体１１ａ，１１ｂの突出部５３，５３によって互いに押し付け合うようにして押圧されて開口部１５における後述する他の一部を閉塞する。
【００２２】
次に、ディスクカートリッジ１の使用方法について、図面を参照して説明する。
【００２３】
このディスクカートリッジ１は、図１に示すように、記録再生装置から取り外されている常態において、下シェル３の開口部１５が、ディスクトレイ５とシャッタ部材６，６とによって閉塞されて、カートリッジ本体２内の光ディスク１０に対するディスクアクセスが規制されている（本発明における規制状態）。具体的には、開口部１５における長手方向両端部側の領域（光ディスク１０の外縁部側を露出させるための開口部位：本発明における一部）がディスクトレイ５の底板３１，３１によって閉塞されると共に、開口部１５における長手方向中央部の領域（光ディスク１０における中心孔１０ａの近傍を露出させるための開口部位：本発明における上記した他の一部）がシャッタ部材６，６によって閉塞される。この結果、ディスクトレイ５およびシャッタ部材６，６によって開口部１５の全域が閉塞される。
【００２４】
一方、ディスクカートリッジ１の使用（記録データの記録再生）に際しては、ディスクカートリッジ１を記録再生装置に装填する。この際には、ディスクカートリッジ１をある程度押し込んだ際に記録再生装置が図１に示す矢印Ｉの向きでディスクカートリッジ１を装置内部に引き込む。なお、同図では下シェル３を上向きにした状態を図示しているが、実際の使用に際しては、上シェル４を上向きにした状態で記録再生装置に装填する。この際には、まず、記録再生装置のシャッタ開閉機構がロック部材７に当接した際にロック部材７によるディスクトレイ５の回動規制が解除される。次いで、ディスクカートリッジ１が記録再生装置内にさらに引き込まれた際には、シャッタ開閉機構がディスクトレイ５の噛合用歯部３４に噛合して、この状態でディスクカートリッジ１がさらに引き込まれることによってディスクトレイ５が図１に示す矢印Ｂ１の向きでカートリッジ本体２に対して回動させられる。この際には、ディスクトレイ５の回動に伴い、下シェル３の凸部１３がシャッタ部材６のスリット５２内を相対的にスライドすることにより、シャッタ部材６が軸受孔５１（ディスクトレイ５の支持軸３３）を中心としてディスクトレイ５に対して回動させられて下シェル３に対してスライドさせられる。これにより、下シェル３の開口部１５とディスクトレイ５の開口部３５とがディスクカートリッジ１の厚み方向において連通すると共に、シャッタ部材６，６が開口部３５上から退避させられて本発明における開口位置に位置させられてカートリッジ本体２内の光ディスク１０に対するディスクアクセスが許容される（本発明における許容状態）。この後、記録再生装置によってクランピングプレート１０ｂが磁気的に吸引されて中心孔１０ａの口縁部（中心部領域）がクランプされ、開口部１５を介してのレーザービームの照射（記録データの記録または再生）が実行される。
【００２５】
一方、記録データの記録再生を完了したディスクカートリッジ１を記録再生装置から取り出した際（排出した際）には、下シェル３の開口部１５がディスクトレイ５とシャッタ部材６，６とによって閉塞されて、規制状態となる。具体的には、記録再生装置から排出される際に、シャッタ開閉機構によってディスクトレイ５が図９に示す矢印Ｂ２の向きで回動させられると共に、その回動に伴ってシャッタ部材６がディスクトレイ５に対して回動させられて下シェル３に対してスライドさせられる。この場合、このディスクカートリッジ１では、シャッタ部材６，６が開口部１５の中央部領域を閉塞する閉塞位置までスライドさせられるのに先立ち、図１０に示す状態から、まず、突出部５３の斜面５３ｂが凸部１４の角部１４ａに当接する。この状態で、ディスクトレイ５がさらに回動させられることにより、突出部５３の斜面５３ｂを凸部１４に擦り付けるようにしてシャッタ部材６が矢印Ｂ２の向きで移動させられる。
【００２６】
この際に、突出部５３の斜面５３ｂが徐々に角部１４ａに向かう斜面（平面）に形成されているため、ディスクトレイ５の回動に伴ってシャッタ部材６が下シェル３（下シェル本体１１ａ）に対してスライドさせられたときに、ディスクトレイ５の回動が完了するのに先立って突出部５３が凸部１４（角部１４ａ）に当接し、その後に、突出部５３が凸部１４に押し付けられる力が徐々に大きくなる。したがって、ディスクトレイ５の回動が完了するまでの間に、反作用によって凸部１４の角部１４ａが突出部５３（シャッタ部材６）を押圧する力が徐々に大きくなる。この結果、シャッタ部材６が軸受孔５１（支持軸３３）を中心として図９，１０の矢印Ｃで示す向き（閉塞位置に向かう方向）に回動させられる。これにより、図１１，１２に示すように、両シャッタ部材６，６が閉塞位置に位置させられた状態では、シャッタ部材６，６が凸部１４，１４によって互いに押し付け合う方向に押圧された状態となる。このため、軸受孔５１と支持軸３３との間や、ディスクトレイ５とカートリッジ本体２との間に僅かな隙間が存在したとしても、両シャッタ部材６，６が互いに密着し合って開口部１５を十分に閉塞する。また、このディスクカートリッジ１では、図１２に示すように、シャッタ部材６の突出部５３（斜面５３ｂ）と下シェル３の凸部１４（当接面１４ｂ）とが面的に接触した状態となる。したがって、シャッタ部材６が確実に押圧されて、互いに密着した状態となる。この結果、両シャッタ部材６，６間の隙間が確実に閉塞されて、カートリッジ本体２、ディスクトレイ５およびシャッタ部材６，６によってカートリッジ本体２内の光ディスク１０が保護される。
【００２７】
この場合、例えば出願人が開発しているディスクカートリッジのなかには、図１３，１４に示すように、規制状態において下シェル本体１１ａ，１１ｂとの間の隙間を閉塞して塵埃の侵入を防止するための突出部５３ｘが形成されたシャッタ部材６ｘを備えたディスクカートリッジ１ｘが存在する。ところが、このシャッタ部材６ｘは、突出部５３ｘの突出量が上記のシャッタ部材６における突出部５３の突出量よりも少ないため、図１４に示すように、シャッタ部材６ｘが閉塞位置に位置させられた状態（規制状態）において、突出部５３ｘが凸部１４に当接せずに下シェル本体１１ａ，１１ｂとシャッタ部材６ｘ，６ｘとの間に隙間が形成される構成となっている。したがって、ディスクカートリッジ１ｘには、上記のディスクカートリッジ１とは異なり、シャッタ部材６ｘ，６ｘが互いに押し付け合うようにして凸部１４，１４によって押圧されることがないため、従来のディスクカートリッジと同様にして、両シャッタ部材６ｘ，６ｘの間に隙間が形成されることに起因して、カートリッジ本体２内に塵埃が侵入するおそれがあるという課題が存在する。
【００２８】
このように、このディスクカートリッジ１では、シャッタ部材６，６を閉塞位置に向けて回動させるようにして押圧する凸部１４，１４が下シェル３（下シェル本体１１ａ，１１ｂ）に形成されると共に、ディスクトレイ５の回動が完了するのに先立って凸部１４（角部１４ａ）に当接してディスクトレイ５の回動が完了するまでの間に凸部１４に押し付けられる力が徐々に大きくなるように側端面５４から突出させられた突出部５３（先端５３ａと側端面５４との間の斜面５３ｂが平面状に形成された突出部５３）がシャッタ部材６，６に形成されている。したがって、このディスクカートリッジ１によれば、スムーズな開閉を可能とするために、カートリッジ本体２とディスクトレイ５との間やディスクトレイ５とシャッタ部材６、６との間に僅かな隙間を設けたとしても、凸部１４，１４によって両シャッタ部材６，６が閉塞位置に向けて押圧されて開口部１５が隙間なく閉塞されるため、開口部１５からの塵埃の侵入を確実に防止することができる。
【００２９】
また、このディスクカートリッジ１によれば、規制状態において凸部１４（当接面１４ｂ）に面的に接触するように突出部５３を構成したことにより、シャッタ部材６，６を閉塞位置に向けて確実に押圧することができるため、開口部１５からの塵埃の侵入を一層確実に防止することができる。
【００３０】
さらに、このディスクカートリッジ１では、規制状態のディスクトレイ５において下シェル３の開口部１５の口縁部近傍に重なる位置でシャッタ部材６，６が軸支されると共に、ディスクトレイ５に軸支された部位（軸受孔５１）の近傍に突出部５３が形成され、かつ、凸部１４が下シェル３における開口部１５の近傍に形成されている。したがって、このディスクカートリッジ１によれば、軸受孔５１から遠く離れた部位を押圧するのとは異なり、凸部１４によって極く短いストロークで押圧してディスクトレイ５に対してシャッタ部材６を大きく回動させることができる。
【００３１】
また、このディスクカートリッジ１によれば、一対の凸部１４，１４が両シャッタ部材６，６における突出部５３を押圧して両シャッタ部材６，６を互いに押し付け合うようにして押圧するように下シェル３を形成したことにより、例えば一方のシャッタ部材６だけを押圧する構成と比較して、両シャッタ部材６，６を互いに密着し合わせて開口部１５を隙間なく閉塞させることができるため、開口部１５からの塵埃の侵入を一層確実に防止することができる。
【００３２】
なお、本発明は、上記した構成に限定されない。例えば、上記のディスクカートリッジ１では、シャッタ部材６における軸受孔５１の近傍に突出部５３を形成すると共に、下シェル本体１１ａ，１１ｂにおける支持軸３３の近傍に凸部１４を形成する構成が採用されているが、本発明はこれに限定されない。例えば、図１５，１６に示すディスクカートリッジ１Ａでは、図１１に示すディスクカートリッジ１における矢印Ｅの部位においてシャッタ部材６Ａが押圧される構成が採用されている。具体的には、このディスクカートリッジ１Ａでは、記録再生装置から排出される際に、シャッタ開閉機構によってディスクトレイ５が回動させられると共に、その回動に伴ってシャッタ部材６Ａがディスクトレイ５に対して図１５に示す矢印Ｂ２の向きで回動させられて下シェル３（下シェル本体１１ａ，１１ｂ）に対してスライドさせられる。この場合、このディスクカートリッジ１Ａでは、シャッタ部材６Ａ，６Ａが開口部１５の中央部領域を閉塞する閉塞位置までスライドさせられるのに先立ち、図１５に示す状態から、まず、突出部５５の斜面５５ｂが凸部１６の角部１６ａに当接する。この状態で、ディスクトレイ５がさらに回動させられることにより、突出部５５の斜面５５ｂを凸部１６に擦り付けるようにしてシャッタ部材６Ａが矢印Ｂ２の向きで移動させられる。
【００３３】
この際に、突出部５５の斜面５５ｂが徐々に角部１６ａに向かう斜面（平面）に形成されているため、ディスクトレイ５の回動に伴ってシャッタ部材６Ａがスライドさせられたときに、突出部５５が凸部１６に押し付けられる力、すなわち、凸部１６が突出部５５（シャッタ部材６Ａ）を押圧する力が徐々に大きくなる。この結果、シャッタ部材６Ａが軸受孔５１（支持軸３３：図示せず）を中心として矢印Ｃの向き（閉塞位置に向かう方向）に回動させられる。したがって、図１６に示すように、シャッタ部材６Ａが閉塞位置に位置させられた状態では、シャッタ部材６Ａと、図示しない他方のシャッタ部材６Ａとが凸部１６，１６によって互いに押し付け合う方向に押圧された状態となる。このため、軸受孔５１と支持軸３３との間や、ディスクトレイ５とカートリッジ本体２との間に僅かな隙間が存在したとしても、両シャッタ部材６Ａ，６Ａが密着し合って開口部１５を閉塞する。また、このディスクカートリッジ１Ａでは、同図に示すように、シャッタ部材６Ａの突出部５５（斜面５５ｂ）と下シェル３の凸部１６（当接面１６ｂ）とが面的に接触した状態となる。この結果、シャッタ部材６Ａが確実に押圧された状態となる。したがって、カートリッジ本体２、ディスクトレイ５およびシャッタ部材６Ａ，６Ａによってカートリッジ本体２内の光ディスク１０が保護される。
【００３４】
また、本発明におけるディスク状記録媒体としては、上記した書き換え型の光ディスク１０に限定されず、再生専用タイプの光ディスクや、追記型の光ディスクなどの各種の光ディスクが含まれるだけではなく、光磁気ディスクや磁気ディスクも含まれる。また、上記したディスクカートリッジ１では、別個独立した下シェル本体１１ａ，１１ｂを有する下シェル３を備えてカートリッジ本体２が構成される例について説明したが、本発明はこれに限定されず、従来のディスクカートリッジのように、単一の下シェルを有するカートリッジ本体を備えたディスクカートリッジに適用することができる。さらに、本発明におけるディスクアクセス用の開口部の開口形状は、上記の例のようにカートリッジ本体２の前後方向に長い長方形形状の開口形状に限定されるものではなく、カートリッジ本体の左右方向に長い長方形形状の開口形状や、方形形状のカートリッジ本体における対角線方向に長い長方形形状の開口形状であってもよい。
【図面の簡単な説明】
【００３５】
【図１】ディスクカートリッジ１の外観斜視図である。
【図２】開口部１５を開口した状態のディスクカートリッジ１の図１におけるＸ−Ｘ線断面図である。
【図３】下シェル３を内面側から見た平面図である。
【図４】下シェル本体１１ａ，１１ｂにおける凸部１４近傍の斜視図である。
【図５】上シェル４を内面側から見た平面図である。
【図６】ディスクトレイ５を下シェル３側から見た平面図である。
【図７】シャッタ部材６を下シェル３側から見た平面図である。
【図８】シャッタ部材６における突出部５３近傍の斜視図である。
【図９】規制状態となるようにディスクトレイ５を回転させている状態のディスクカートリッジ１の各部材を透過表示した平面図である。
【図１０】図９に示す状態の凸部１４および突出部５３近傍の平面図である。
【図１１】規制状態のディスクカートリッジ１の各部材を透過表示した平面図である。
【図１２】図１１に示す状態の凸部１４および突出部５３近傍の平面図である。
【図１３】シャッタ部材６ｘの平面図である。
【図１４】規制状態のディスクカートリッジ１ｘにおける凸部１４および突出部５３ｘ近傍の平面図である。
【図１５】規制状態となるようにディスクトレイ５を回転させている状態のディスクカートリッジ１Ａの突出部１６および突出部５５近傍の平面図である。
【図１６】規制状態のディスクカートリッジ１Ａにおける突出部１６および突出部５５近傍の平面図である。
【符号の説明】
【００３６】
１，１Ａ  ディスクカートリッジ
２  カートリッジ本体
３  下シェル
５  ディスクトレイ
６，６Ａ  シャッタ部材
１０  光ディスク
１１ａ，１１ｂ  下シェル本体
１２ａ  底板
１２ｂ  側壁
１２ｃ  隔壁
１３  凸部
１４，１６  凸部
１４ａ，１６ａ  角部
１４ｂ，１６ｂ  当接面
１５  開口部
３１  底板
３３  支持軸
３５  開口部
５１  軸受孔
５２  スリット
５３，５５  突出部
５３ａ，５５ａ  先端
５３ｂ，５５ｂ  斜面
５４  側端面
【図１】
2006048788.tif 000003
【図２】
2006048788.tif 000004
【図３】
2006048788.tif 000005
【図４】
2006048788.tif 000006
【図５】
2006048788.tif 000007
【図６】
2006048788.tif 000008
【図７】
2006048788.tif 000009
【図８】
2006048788.tif 000010
【図９】
2006048788.tif 000011
【図１０】
2006048788.tif 000012
【図１１】
2006048788.tif 000013
【図１２】
2006048788.tif 000014
【図１３】
2006048788.tif 000015
【図１４】
2006048788.tif 000016
【図１５】
2006048788.tif 000017
【図１６】
2006048788.tif 000018